(57)【要約】【課題】擬似餌に簡単に取付、取外しが出来擬似餌に取付け水中で沈む際、板が回転する釣具を提供する【解決手段】Ｙ字形の板の上部を対称的に曲げＹ字形の下部に穴をあけ、糸を結び反対側の糸先を針金に結ぶ釣具としたことを特徴とする。【選択図】図１
0003116142.tif 000002
【実用新案登録請求の範囲】
【請求項１】
（イ）Ｙ字形の板の上部を対称的に曲げ
（ロ）Ｙ字形の下部に穴をあけ、糸を結び反対側の糸先を針金に結ぶ  以上のごとく構成された釣具
【請求項２】
（イ）正十字形の板の中心に回転コマをつける
（ロ）回転コマに支柱をつけ、針金をつける
（ハ）正十字形の板  角Ａを上にまげ角Ｂを下に曲げる
（ニ）正十字形の凸の四ヵ所を支柱とは逆の方に曲げる  以上のごとく構成された釣具
【請求項３】
▲イ▼板をコイル状に曲げ、片方の先に回転コマを付け
▲ロ▼回転コマに針金をつけ以上のごとく構成された釣具（図６）
【請求項４】
▲イ▼円、もしくは多角形の板にうず巻状に切れ目を入れ（図７）うず巻の中心に回転ゴマをつけ、針金をつける
▲ロ▼うず巻状の板を図８の様に形成し、以上のごとく構成された釣具
【請求項５】
▲イ▼ハート型の板に回転ゴマを付け、針金をつける（図９）
▲ロ▼ハート型の板を図１０の様に曲げる。以上のごとく構成された釣具
【請求項６】
▲イ▼多角形の板に回転ゴマを付け針金をつける  以上のごとく構成された釣具
▲ロ▼例、図１２の板を沈下する際回転する様に（水中で）図１３の様に形成し、構成された釣具
▲ハ▼例、図１５の板を沈下する際、（水中で）回転する様に図１６の様に形成し、構成された釣具
▲ニ▼例、図１８の板を沈下する際（水中で）回転する様に図１９の様に形成し構成された釣具
【考案の詳細な説明】
【考案の詳細な説明】
【０００１】本発明はＹ字形の板、上部を対称的に曲げ、Ｙ字形の下部に穴をあけ糸を結び、反対側の糸先を針金に結び針金を擬似餌に刺し、貫通させ、突出した針金の先を曲げる、擬似餌を水中に入れると、Ｙ字形の板が回転しながら、沈ずんで行く、擬似餌用  取付取外し可能回転板に関するものである
【０００２】魚類の中に小魚や海老、小動物、昆虫などを威嚇したり捕食する魚類は、水中で回転するものやキラキラひかるものなどに興味をしめしたり、捕食したり回転板の効果がでる場合がある
水中で擬似餌が沈む際、板の回転が、釣果になんらかの影響があるだろうということは発明者が発見したことで、板を取付けた時沈下速度が遅くなり、Ｙ字板を曲げた時のカーブの形や歪みでで沈む速度が変化するなど個人的実験をくりかえし釣果は数百匹に及んでいる。しかしその釣果は科学的に証明されるものかは今後の問題にすべきところで本願ところでない。
しかし、水中では浮力が働き、擬似餌だけては、沈むことのできないものや、沈ますことに向かない、擬似餌もあるが擬似餌だけでは沈ずまないものに、棒型のおもりを刺込み沈ます、という方法はあるが、一旦おもりをさしたり、テグスにおもりをつけると、おもりを外す時、一度糸を切り、仕掛けを作り直したり、刺したおもりをぬき出し、新らたな小さなおもりをさしこむという手間がかかり、回転板をつける方が手早くできる、だがおもりをかるくした訳ではなく沈む速度に抵抗をあたえるという板である
直、Ｙ字板自体の大きさや擬似餌に刺し込む位置によっても沈む速度や板の回転の早さをかえることができる
【図面の簡単な説明】
【図１】  本考案の斜視図である。
【図２】  本考案の斜視図である。角Ｂを支柱側に曲げ、角Ａを逆に曲げると図３
【図３】  本考案の斜視図である。正十字形の凸の四ヵ所を支柱とは逆に曲げると図４
【図４】  本考案の斜視図である。
【図５】  本考案の使用中の斜視図である。
【図６】  本考案の斜視図である。
【図７】  本考案の斜視図である。円状の板に切れ目を入れ中心に回転ゴマを付けた図
【図８】  本考案の斜視図である。
【図９】  本考案のハート型の板と回転ゴマと針金をつけた図
【図１０】  本考案の斜視図である。
【図１１】  本考案、斜視図である
【図１２】  本考案の三角型の板と回転ゴマと針金をつけた図
【図１３】  本考案の斜視図である
【図１４】  本考案  斜視図である。
【図１５】  本考案の上部に切れ目を入れた四角型の板に回転ゴマと針金を付けた図
【図１６】  本考案の斜視図である。
【図１７】  本考案の斜視図である
【図１８】  本考案の六角型の板の回転ゴマと針金を付けた図
【図１９】  本考案の斜視図である。
【符号の説明】
１、  Ｙ字形の板
２、  糸
３、  針金
４、  十字形の板
５、  回転ゴマ
６、  支柱
７、  擬似餌
８、  コイル状の板
９、  うず巻状に切れ目を入れた板
１０、  うず巻状の板
１１、  ハート型の板
１２、  曲げたハート型の板
１３、  上部に切れ目の入った三角形
１４、  上部  切れ目を曲げた三角形
１５、  上部に切れ目を入れた四角形
１６、  上部の切れ目を曲げた四角形
１７、  六角形の板
１８、  曲げた六角形の板
【図１】
0003116142.tif 000003
【図２】
0003116142.tif 000004
【図３】
0003116142.tif 000005
【図４】
0003116142.tif 000006
【図５】
0003116142.tif 000007
【図６】
0003116142.tif 000008
【図７】
0003116142.tif 000009
【図８】
0003116142.tif 000010
【図９】
0003116142.tif 000011
【図１０】
0003116142.tif 000012
【図１１】
0003116142.tif 000013
【図１２】
0003116142.tif 000014
【図１３】
0003116142.tif 000015
【図１４】
0003116142.tif 000016
【図１５】
0003116142.tif 000017
【図１６】
0003116142.tif 000018
【図１７】
0003116142.tif 000019
【図１８】
0003116142.tif 000020
【図１９】
0003116142.tif 000021
【手続補正書】
【提出日】平成17年8月11日(2005.8.11)
【手続補正１】
【補正対象書類名】実用新案登録請求の範囲
【補正対象項目名】全文
【補正方法】変更
【補正の内容】
【実用新案登録請求の範囲】
【請求項１】
（イ）Ｙ字形の板の上部を対称的に曲げ
（ロ）Ｙ字形の下部に穴をあけ、糸を結び、反対側の糸先を針金に結ぶ以上のごとく構成された釣具
【請求項２】
（イ）正十字形の板の中心に回転コマをつける
（ロ）回転ゴマに支柱をつけ、針金をつける
（ハ）正十字形の角Ａを上にまげ、角Ｂを下に曲げる
（ニ）正十字形の凸の四ヵ所を支柱とは、逆に曲げる、請求項１記載の釣具のごとく構成された釣具
【請求項３】
（イ）板をコイル状に曲げ、片方の先に回転コマを付け
（ロ）回転コマに針金をつけ請求項１記載の釣具のごとく構成された釣具
【請求項４】
（イ）円、もしくは、多角形の板にうず巻状に切れ目を入れうず巻きの中心に回転ゴマをつける
（ロ）うず巻状の板の中心が、突出させ、うず巻の外側が回転ゴマに一番遠くなるように形成し、請求項１記載の釣具のごとく構成された釣具
【請求項５】
（イ）ハート型の板に回転を付け、針金をつける
（ロ）ハート型の板、上部の左側を手前に曲げ、上部右側を反対に曲げ、請求項１記載の釣具のごとく構成された釣具
【請求項６】
（イ）多角形の板に回転ゴマを付け、針金をつける請求項１記載の釣具のごとく構成された釣具
（ロ）多角形の板を水中で沈下する際回転するよう形成し、請求項１記載の釣具のごとく構成された釣具．